(57)【特許請求の範囲】
【請求項１】
上部が開口部を有する便座であり、上記便座よりも下部が筒状の容器である組立て式トイレであって、
上記便座が四角形の板状体からなり、上記開口部は、上記四角形の対角線に沿って開口し、
上記容器は、４枚の板の対向する両端部の凹凸を嵌め合わせた外形が四角柱の筒状のものであり、
上記四角柱の筒状の形状とした状態で、３枚の板を固定した場合に、残りの１枚の板の上記両端部のうち、一方が取り外せない構造であり、
上記板には、嵌め合わせの箇所を示すマークが付されていることを特徴とする組立て式トイレ。
【請求項２】
請求項１の組立て式トイレにおいて、
上記開口部の周縁が、上記板状体のその他の部分とは異なる肌触りであることを特徴とする組立て式トイレ。  
【請求項３】
請求項１または２に記載の組立て式トイレにおいて、
上記便座が発泡スチロール製であることを特徴とする組立て式トイレ。
【発明の詳細な説明】
【技術分野】
【０００１】
本発明は、組立て式トイレに関するものである。
【背景技術】
【０００２】
従来から、地震等の自然災害発生時に、被災地向けの簡易トイレについての技術が検討されてきた。たとえば、特許文献１等である。
【先行技術文献】
【特許文献】
【０００３】
【特許文献１】特開平９−７５２６０号公報
【発明の概要】
【発明が解決しようとする課題】
【０００４】
特許文献１に開示された簡易トイレは、いわゆる洋式のトイレである。洋式のトイレといえば便座に座るタイプのものである。しかしながら、一般家庭用と被災地では、トイレの使用環境が異なる。すなわち、一般家庭用のトイレは、鍵が掛けられるため、トイレにまたがっても構わないが、被災地では鍵が無い場合または鍵があってもそれが信用出来ない場合がある。
【０００５】
人間の心理として、被災地のような、どのようなことが起こるかわからない場所では、トイレを使用する際には、またがった姿勢よりも、両足を閉じることが可能な姿勢を選びたがるものである。
【０００６】
そこで、本発明が解決しようとする課題は、両足を閉じて使用することが自然な組立て式トイレを提供することである。
【課題を解決するための手段】
【０００７】
上記目的を達成するため、本発明の組立て式トイレは、上部が開口部を有する便座であり、便座よりも下部が筒状の容器であり、便座が四角形の板状体からなり、開口部は、四角形の対角線に沿って開口し、容器は、４枚の板の対向する両端部の凹凸を嵌め合わせた外形が四角柱の筒状のものであり、四角柱の筒状の形状とした状態で、３枚の板を固定した場合に、残りの１枚の板の上記両端部のうち、一方が取り外せない構造であり、板には、嵌め合わせの箇所を示すマークが付されていることを特徴とする組立て式トイレ。
【０００８】
ここで、開口部の周縁が、板状体のその他の部分とは異なる肌触りであることとしても良い。
【０００９】
また、便座が発泡スチロール製であることとしても良い。
【００１０】
また、容器は、４枚の板の対向する両端部の凹凸を嵌め合わせた外形が四角柱の筒状のものであり、四角柱の筒状の形状とした状態で、３枚の板を固定した場合に、残りの１枚の板の両端部のうち、一方が取り外せない構造であることとしても良い。
【００１１】
また、板には、嵌め合わせの箇所を示すマークが付されていることとしても良い。
【発明の効果】
【００１２】
両足を閉じて使用することが自然な組立て式トイレを提供することができる。
【図面の簡単な説明】
【００１３】
【図１】本発明の実施の形態に係る組立て式トイレの斜視図である。
【図２】容器の組立ての様子を示す図である。
【図３】便座と筒状の容器と、底面パッドとを組立てる様子を示す図である。
【図４】本発明の実施の形態の変形例に係る便座の平面図である。
【図５】本発明の実施の形態の変形例に係る筒状の容器の斜視図である。
【図６】本発明の実施の形態の変形例に係る底面パッドと、それに設置する補助パッドを示す図である。
【発明を実施するための形態】
【００１４】
以下、本発明の実施の形態に係る組立て式トイレについて、図面を参照しながら説明する。
【００１５】
（本発明の実施の形態に係る組立て式トイレの構成）
図１は、本発明の実施の形態に係る組立て式トイレの斜視図である。本発明の実施の形態に係る組立て式トイレ１は、上部が開口部２を有する便座３であり、便座３よりも下部が底面パッド４を有する筒状の容器５である。そして、便座３が四角形の板状体からなっている。そして、開口部２は、四角形の対角線に沿って開口している。これらの構成部材である便座３、底面パッド４および筒状の容器５は、発泡スチロール製である。
【００１６】
なお、便座３の開口部２の周縁６が、便座３を構成する板状体のその他の部分とは異なる肌触りである。すなわち、その他の部分が発泡スチロール特有のザラザラ感のある肌触りであるのに対し、便座３の開口部２の周縁６は、発泡スチロールの表面を押圧し、その密度を高くした、滑らかな肌触りとなっている。そのため、便座３の開口部２の周縁６は、その他の部分よりも若干凹みがあり、周縁６がテーパー状となっている。
【００１７】
また、便座３の開口部２が四角形の対角線に沿っている、その対角線の端の方には、矢印３ａが表示されている。そして、矢印３ａから遠い側の開口部２が、矢印３ａに近い側の開口部２よりも若干幅広になっている。
【００１８】
図２は、容器５の組立ての様子を示す図である。図２（Ａ）（Ｂ）は、４枚の外形が４角形の板７，８，９，１０を示している。板７，８，９，１０は、対向する２つの辺に嵌め合わせ用の凹凸を有している。また、板７，８，９，１０は、それぞれ同一形状をしている。
【００１９】
板７，８を例に嵌め合わせの様子を説明する。板７の辺７ａと板８の辺８ａとは同一形状をしている。板７の辺７ｂと板８の辺８ｂとは同一形状をしている。辺７ｂの凸部７ｂ１，７ｂ１は、根元よりも先端の方が幅広のテーパー状である。その形状とほぼ完全に適合するのが、辺８ａの凹部８ａ１，８ａ１である。このような辺の形状の同一および適合関係は、図２（Ｂ）に示す板９と板１０も同様である。
【００２０】
図２（Ｃ）に示すように、板８を板７に向かって方向Ａに沿って近づけると、凸部７ｂ１，７ｂ１と凹部８ａ１，８ａ１とがほぼ完全に適合し、板７，８が嵌め合わせられる。板７，８が図２（Ｃ）に示すように嵌め合わせられると、方向Ａに板７，８を移動し嵌め合わせを解くことは可能だが、方向Ｂに板７，８を移動し嵌め合わせを解くことは、根元よりも先端の方が幅広の凸部７ｂ１，７ｂ１のテーパー形状によってできない。
【００２１】
このような嵌め合わせは、図２（Ｄ）に示す板９，１０についても同様に可能であり、図２（Ｅ）に示すように板７，８，９，１０相互に可能である。以上が図２（Ｅ）に示す筒状の容器５の組立方法である。
【００２２】
すなわち、筒状の容器５は、４枚の板７，８，９，１０の対向する両端部の凹凸を嵌め合わせた外形が四角柱の筒状のものであり、四角柱の筒状の形状とした状態で、３枚の板を固定した場合に、残りの１枚の板の両端部のうち、一方が根元よりも先端の方が幅広の凸部７ｂ１，７ｂ１のテーパー形状によって取り外せない構造である。なおもう一方は、前述の、方向Ａに板７，８を移動し嵌め合わせを解くことは可能であることと同様に、嵌め合わせを解くことは可能である。
【００２３】
また、図２に示すように、板７，８，９，１０には、嵌め合わせる前には半円１２のマークで、嵌め合わせた状態で円形１３となる、嵌め合わせの箇所を示すマークが付されている。
【００２４】
また、図２に示すように、板７，８，９，１０には、嵌め合わせる際にその板を移動させる方向を示す方向マーク１４が、各々に一つづつ表示されている。板９，１０についても板７，８と嵌め合わせた状態で同じ方向を向くように表示されている。この方向マーク１４は、板７，８，９，１０の片面のみに表示している。
【００２５】
また、図３は、便座３と筒状の容器５と、底面パッド４とを組立てる様子を示す図である。便座３の裏側面には、筒状の容器５の上端の四角形とほぼ完全に適合する四角形の溝が形成されており、その溝が筒状の容器５の上端の四角形に嵌め合わせられる。
【００２６】
また、筒状の容器５の下端の四角形と底面パッド４も、底面パッド４にほぼ完全に適合する四角形の溝１６が形成されており、その溝が筒状の容器５の上端の四角形に嵌め合わせられる。溝１６は、外側凸部１７と内側凸部１８の谷間として形成されている。
【００２７】
なお、必要に応じて、便座３を隠すふた２０を使用できる。
【００２８】
（本発明の実施の形態によって得られる主な効果）
本発明の実施の形態に係る組立て式トイレ１は、開口部２が便座３の外形である四角形の対角線に沿って開口している。そのため、四角形の角を両足で挟んで便座３に座るのが自然であるため、両足を閉じて使用することが自然な組立て式トイレを提供することができる。
【００２９】
また、便座３は、発泡スチロール製である。そのため、外気温度が低くても、便座３に肌をくっつける際には、それ程冷たさを感じない。また、便座３、底面パッド４および筒状の容器５は、発泡スチロール製であるため、組立て式トイレ１を軽く、持ち運びしやすいものとすることができる。
【００３０】
また、便座３の開口部２の周縁６が、便座３を構成する板状体のその他の部分とは異なる肌触りである。すなわち、その他の部分が発泡スチロール特有のザラザラ感のある肌触りであるのに対し、便座３の開口部２の周縁６は、発泡スチロールの表面を押圧し、その密度を高くした、滑らかな肌触りとなっている。そのため、肌触りの滑らかな箇所に肌をくっつけることで、開口部２を見なくても（周囲が暗くても）、開口部２から極端に外れた位置に座ることを抑制できる。
【００３１】
また、筒状の容器５は、４枚の板７，８，９，１０の対向する両端部の凹凸を嵌め合わせた外形が四角柱の筒状のものであり、四角柱の筒状の形状とした状態で、３枚の板を固定した場合に、残りの１枚の板の両端部のうち、一方が根元よりも先端の方が幅広の凸部７ｂ１，７ｂ１のテーパー形状によって取り外せない構造である。このことにより、底面パッド４等で筒状の容器５の下端を固定すれば、筒状の容器５は、外力によっても四角柱の筒状の形状を維持できやすいものとなる。
【００３２】
また、板７，８，９，１０には、嵌め合わせる前には半円１２のマークで、嵌め合わせた状態で円形１３となる、嵌め合わせの箇所を示すマークが付されている。そのため、マークを目印に組立作業を円滑に行うことができる。このことによって組立て式トイレ１の組立が容易になる。
【００３３】
また、板７，８，９，１０には、嵌め合わせる際にその板を移動させる方向を示す方向マーク１４が、各々に一つづつ表示されている。板９，１０についても板７，８と嵌め合わせた状態で同じ方向を向くように表示されている。この方向マーク１４は、板７，８，９，１０の片面のみに表示している。このことによって、組立ての際に方向マーク１４を筒状の容器５の内側に同じ方向にすれば良いとの導きをすることができる。このことによって組立て式トイレ１の組立が容易になる。
【００３４】
また、便座３の開口部２が四角形の対角線に沿っている、その対角線の端の方には、矢印３ａが表示されている。そして、矢印３ａから遠い側の開口部２が、矢印３ａに近い側の開口部２よりも若干幅広になっている。この矢印３ａは、その矢印に向かって座ることを推奨しており、そのように座ることで、開口部２の周縁６等が排泄物で汚れることを、幅広の開口部２とすることにより低減できる。なお、本発明を使用する場合は、排泄物を溜めるビニール袋等の袋を用いることが好ましく、開口部２から入った排泄物が袋に収まるように容器５内に袋を配置する。袋の開口部分を便座３と容器５で挟んで保持することで、不意に袋が閉じてしまうことを防ぐことができる。
【００３５】
（他の形態）
上述した本発明の実施の形態に係る組立て式トイレ１は、本発明の好適な形態の一例ではあるが、これに限定されるものではなく本発明の要旨を変更しない範囲において種々の変形実施が可能である。
【００３６】
本発明の実施の形態に係る組立て式トイレ１は、上部が開口部２を有する便座３であり、便座３よりも下部が底面パッド４を有する筒状の容器５である。また、組立て式トイレ１は、ふた２０を有している。しかし、これらの部材の中で底面パッド４とふた２０は、必須の構成部材ではないため省略することができる。
【００３７】
また、便座３は、発泡スチロール製である。しかし、便座３の材質は、段ボール等を適宜選択できる。また、筒状の容器５および底面パッド４の材質も発泡スチロールであるが、段ボール等を適宜選択できる。
【００３８】
また、筒状の容器５は、外形が四角柱の筒状のものとしているが、外形が円柱、楕円柱、三角柱等の他の多角柱としても良い。
【００３９】
また、便座３の開口部２の周縁６が、便座３を構成する板状体のその他の部分とは異なる肌触りである。すなわち、その他の部分が発泡スチロール特有のザラザラ感のある肌触りであるのに対し、便座３の開口部２の周縁６は、発泡スチロールの表面を押圧し、その密度を高くした、滑らかな肌触りとなっている。しかしながら、便座３の開口部２の周縁６の肌触りを、その他の部分とは異なるものとする必要はない。
【００４０】
仮に便座３の開口部２の周縁６の肌触りを、その他の部分とは異なるものとする場合でも、便座３が発泡スチロールの場合には、便座３の開口部２の周縁６をザラザラ感のある肌触りとし、便座３を構成する板状体のその他の部分を滑らかな肌触りとしても良い。
【００４１】
また、便座３の開口部２の周縁６を、発泡スチロールの表面を押圧し、その密度を高くして、滑らかな肌触りとしているが、発泡スチロールの表面を加熱溶融等して、滑らかな肌触りとしても良い。
【００４２】
また、便座３の開口部２の周縁６は、その他の部分よりも若干凹みがあり、周縁６がテーパー状となっている。しかしながら、便座３の開口部２の周縁６は、そのようなテーパー状となっていなくても良い。
【００４３】
また、筒状の容器５は、４枚の板７，８，９，１０の対向する両端部の凹凸を嵌め合わせた外形が四角柱の筒状のものであり、四角柱の筒状の形状とした状態で、３枚の板を固定した場合に、残りの１枚の板の両端部のうち、一方が根元よりも先端の方が幅広の凸部７ｂ１，７ｂ１のテーパー形状によって取り外せない構造である。組立の際などにおける便宜的な構造であるが、このような構造は採用しなくてもよい。
【００４４】
たとえば、辺７ｂの凸部７ｂ１，７ｂ１は、根元よりも先端の方が幅広のテーパー状としているが、そのようなテーパー状せずに根元と先端とが等幅としても良い。
【００４５】
また、板７，８，９，１０には、嵌め合わせる前には半円１２のマークで、嵌め合わせた状態で円形１３となる、嵌め合わせの箇所を示すマークが付されている。しかしながら、そのようなマークは必要ない。仮にマークを付するとしても半円１２、円形１３に限らない。また、マークの形を位置によって変えても良い。
【００４６】
また、板７，８，９，１０には、嵌め合わせる際にその板を移動させる方向を示す方向マーク１４が、各々に一つづつ表示されている。板９，１０についても板７，８と嵌め合わせた状態で同じ方向を向くように表示されている。この方向マーク１４は、板７，８，９，１０の片面のみに表示している。しかしながら、そのような方向マーク１４は必要ない。仮に方向マーク１４を付するとしても方向マーク１４の形および／または位置を変更できる。
【００４７】
また、便座３の開口部２が便座３の外形である四角形の対角線に沿っている、その対角線の端の方には、矢印３ａが表示されている。そして、矢印３ａから遠い側の開口部２が、矢印３ａに近い側の開口部２よりも若干幅広になっている。しかしながら、矢印３ａの存在と、矢印３ａから遠い側の開口部２が、矢印３ａに近い側の開口部２よりも若干幅広になっている、開口部２の形状にしなくてもよい。
【００４８】
たとえば、図４は、本発明の実施の形態の変形例に係る便座２３の平面図である。便座２３の開口部２２の周縁２６が、便座２３を構成する板状体のその他の部分とは異なる肌触りである。すなわち、その他の部分が発泡スチロール特有のザラザラ感のある肌触りであるのに対し、便座２３の開口部２２の周縁２６は、発泡スチロールの表面を押圧し、その密度を高くした、滑らかな肌触りとなっている。そのため、便座２３の開口部２２の周縁２６は、その他の部分よりも若干凹みがあり、周縁２６がテーパー状となっている。図１に示す実施の形態とは開口部２２の形状が異なる。図４に示す形態では、開口部２２は６辺を有する形状である。開口部２２は、便座２３を構成する４角形の板の一の対角線に沿った長穴である。開口部２２の長手方向に位置する４つの辺は、それぞれ便座２３の辺に平行である。本形態において開口部２２は点対称な形状である。周縁２６は、開口部２２の周囲を、ほぼ同一の幅で取り囲んでいる。
【００４９】
図５は、本発明の実施の形態の変形例に係る筒状の容器２８の斜視図である。筒状の容器２８は、全ての板の上部にそれぞれ２つ、合計８つの溝３０を形成した以外は、本発明の実施の形態に係る筒状の容器５と同一の構成である。筒状の容器２８は、いわゆる手提げ付きレジ袋等を溝３０に引っ掛けることができる。レジ袋等を筒状の容器２８の中に開口部を上に向けて設置すると、排泄物をそのレジ袋に入れることができる。レジ袋を取り替えることで、何度でも組立て式トイレ１を使用できる。溝３０は、断面角型の容器２８の角部分の近傍に形成されている。開口部２２の長手方向に沿って、レジ袋等の手提げ袋の手持ち部分をひっかけることができる。
【００５０】
もちろん溝３０がなくてもレジ袋等を使用できるが、溝３０に引っ掛ける方が簡単にレジ袋を使用できる。この例では、全ての板の上部にそれぞれ２つ、合計８つの溝３０を形成しているが、対向する一対の板の上部にそれぞれ２つ等、一部の板に溝３０を形成しても良い。
【００５１】
図６は、本発明の実施の形態の変形例に係る底面パッド４２と、それに設置する補助パッド４０を示す図である。図６（Ａ）は、底面パッド４２と補助パッド４０の分解斜視図であり、図６（Ｂ）は、底面パッド４２に補助パッド４０が設置されている図である。
【００５２】
補助パッド４０は、発泡スチロールの２枚の板を使って十字状の板材としたものである。底面パッド４２は、筒状の容器５の下端がはまり込む溝より内側に補助パッド４０の下端（十字状）がはまり込む溝４４がある以外は底面パッド４とほぼ同一である。そのため、筒状の容器５，２８を底面パッド４２に嵌め込むと共に補助パッド４０を底面パッド４２に嵌め込むことは可能である。
【００５３】
補助パッド４０は、仮に小さなレジ袋を筒状の容器５，２８の中に開口部を上に向けて設置する際に高さが足りず、たとえば筒状の容器２８の溝３０に排泄物の重量がかかってしまい、非常に不安定なものになってしまうのを防ぐまたは抑制するためのものである。すなわち、補助パッド４０は、レジ袋等を底上げして使うため等のためのものである。
【００５４】
補助パッド４０の形状は、十字状以外のものとしても良い。それに伴い底面パッド４２の形状も変えることができる。また補助パッド４０の材質は、発泡スチロール以外の、たとえば段ボール等を適宜選択できる。
【符号の説明】
【００５５】
１  組立て式トイレ
２  開口部
３  便座
５，２８  筒状の容器
６  周縁
７，８，９，１０  板
１２，１３  マーク
【図１】
0006989231.tif 000002
【図２】
0006989231.tif 000003
【図３】
0006989231.tif 000004
【図４】
0006989231.tif 000005
【図５】
0006989231.tif 000006
【図６】
0006989231.tif 000007